(57)【要約】【課題】釣り用部品において、外観の意匠性を向上させることにある。また、回転部材を有する釣り用部品において、回転部材の回転を容易に把握できるようにする。【解決手段】キャスコンつまみ１９は、合成樹脂製の部品本体１０と、部品本体１０の表層側に設けられ断面が正２４角形になるように形成され２４面の光沢平面１１ａ、１１ｂ〜１１ｘを有する金属製のダイヤモンドカット部１１とを有している。ダイヤモンドカット部１１は、部品本体１０にめっき処理により形成されたものであり、部品本体１０と同様に表面が正２４角形になるように形成されている。光沢平面１１ａ、１１ｂ〜１１ｘは、ダイヤモンドカット加工及び金属の光輝性により、キャスコンつまみ１９を回転させると多様に反射する。【選択図】　　　図４
2004097109.tif 000002
【特許請求の範囲】
【請求項１】
釣り用品に用いられる釣り用部品であって、
部品本体と、
前記部品本体の表層側に設けられ、断面が略多角形になるように形成され、複数の光沢平面を有するダイヤモンドカット部と、
を備えた釣り用部品。
【請求項２】
前記ダイヤモンドカット部は２４面以上１４４面以下の前記光沢平面を有している、請求項１に記載の釣り用部品。
【請求項３】
前記部品本体は、略円筒体、略円柱体、略円垂体及び略球体のいずれかである、請求項１又は２に記載の釣り用部品。
【請求項４】
前記ダイヤモンドカット部は前記部品本体の周方向に沿って形成されている、請求項３に記載の釣り用部品。
【請求項５】
前記ダイヤモンドカット部は前記部品本体の径方向に沿って形成されている、請求項３に記載の釣り用部品。
【請求項６】
前記部品本体及び前記ダイヤモンドカット部は金属製である、請求項１から５のいずれかに記載の釣り用部品。
【請求項７】
前記部品本体は合成樹脂製であり、前記ダイヤモンドカット部は金属製である、請求項１から５のいずれかに記載の釣り用部品。
【請求項８】
前記部品本体は回転部材に使用される、請求項１から７のいずれかに記載の釣り用部品。
【請求項９】
前記部品本体は釣り用リールに使用される、請求項１から８のいずれかに記載の釣り用部品。
【請求項１０】
前記部品本体は釣竿に使用される、請求項１から８のいずれかに記載の釣り用部品。
【発明の詳細な説明】
【０００１】
【発明の属する技術分野】
本発明は、釣り用部品、特に、釣り用リールや釣竿等の釣り用品に用いられる釣り用部品に関する。
【０００２】
【従来の技術】
釣り用リールや釣竿等の釣り用品に用いられる釣り用部品は、金属又は合成樹脂により形成されている。特に、このような釣り用部品では、金属又は合成樹脂製の本体部材の表面に塗装処理による単一の塗膜層が形成されたものが知られている（たとえば、特許文献１参照）。このような塗膜層を形成すると、部品本体の傷つきを防止するとともに、外観の意匠性を向上させることができる。
【０００３】
【特許文献１】
特開２００２−１６６２２３号公報
【０００４】
【発明が解決しようとする課題】
前記従来の釣り用部品では、金属又は合成樹脂製の部品本体上に塗装処理が施されているので、部品本体の耐摩耗性を向上させることができる。しかし、一般に、釣り用品は屋外で使用されることが多いので、塗膜層が傷つきやすく、塗膜層が剥離することがある。このように、塗膜層が剥離すると、外観の意匠性を低下させるおそれが生じる。
【０００５】
また、釣り用リールのスプールやハンドル軸のフランジ部等の回転部材を有する釣り用部品では、部品本体上に塗膜層が単一に形成されているので、塗膜層の反射が一様になりやすい。このように塗膜層の反射が一様であると、回転部材の回転を把握するのが困難になるおそれがある。
本発明の課題は、釣り用部品において、外観の意匠性を向上させることにある。
【０００６】
本発明の別の課題は、回転部材を有する釣り用部品において、回転部材の回転を容易に把握できるようにすることにある。
【０００７】
【課題を解決するための手段】
発明１に係る釣り用部品は、釣り用品に用いられる釣り用部品であって、部品本体と、部品本体の表層側に設けられ断面が略多角形になるように形成され複数の光沢平面を有するダイヤモンドカット部とを備えている。
この釣り用部品では、部品本体の表層側には、断面が略多角形になるように形成され複数の光沢平面を有するダイヤモンドカット部が形成されている。ここで、ダイヤモンドカットとは、表面加工の一種であり、表面を小さな角度でカットし、カッティングされた光沢平面の角度を変えるとキラキラ輝くようになる表面加工である。ここでは、ダイヤモンドカット部は断面が略多角形になるように複数の光沢平面を有しているので、光沢平面が多様に反射することにより、外観の意匠性を向上できる。
【０００８】
また、回転部材を有する釣り用部品では、ダイヤモンドカット部は断面が略多角形になるように複数の光沢平面を有しているので、回転部材が回転すると、ダイヤモンドカット部も回転し、光沢平面の反射が多様に変化する。ここでは、光沢平面の反射の多様な変化は、釣人にとって容易に視認できるので、回転部材の回転を容易に把握することができる。
【０００９】
発明２に係る釣り用部品は、発明１の釣り用部品釣り用部品において、ダイヤモンドカット部は２４面以上１４４面以下の光沢平面を有している。この場合、光沢平面を２４面以上１４４面以下になるようにダイヤモンドカット部を形成することにより、光沢平面をさらに多様に反射させることができる。なお、光沢平面が２４面未満では光輝性を十分に発揮できず、また、光沢平面が１４４面を超えるとダイヤモンドカット部の形成が困難になるおそれがある。
【００１０】
発明３に係る釣り用部品は、発明１又は２の釣り用部品において、部品本体は、略円筒体、略円柱体、略円垂体及び略球体のいずれかである。この場合、たとえば回転部材に用いられることの多い略円筒体、略円柱体、略円垂体及び略球体の部品本体にダイヤモンドカット部を形成することにより、外観の意匠性を向上させるとともに、回転部材の回転を容易に把握することができる。
【００１１】
発明４に係る釣り用部品は、発明３の釣り用部品において、ダイヤモンドカット部は部品本体の周方向に沿って形成されている。この場合、部品本体が回転部材である場合は、回転方向に沿ってダイヤモンドカット部が形成されているので、回転部材の回転の把握がさらに容易になる。
発明５に係る釣り用部品は、発明３の釣り用部品において、ダイヤモンドカット部は、部品本体の径方向に沿って形成されている。この場合、部品本体が回転部材である場合は、回転方向と交差する方向に沿ってダイヤモンドカット部が形成されているので、回転部材の回転と異なる方向の変化により、光沢平面を多様に反射させることができる。
【００１２】
発明６に係る釣り用部品は、発明１から５のいずれかの釣り用部品において、部品本体及びダイヤモンドカット部は金属製である。この場合、ダイヤモンドカット部は金属製であるので、金属の光輝性により、光沢平面の反射を強くすることができる。
発明７に係る釣り用部品は、発明１から５のいずれかの釣り用部品において、部品本体は合成樹脂製であり、ダイヤモンドカット部は金属製である。この場合、たとえばダイヤモンドカット部は、めっき処理等による金属や金属薄膜により形成されているので、光沢平面の反射を強くできる。
【００１３】
発明８に係る釣り用部品は、発明１から７のいずれかの釣り用部品において、部品本体は回転部材に使用される。この場合、ダイヤモンドカット部は断面が略多角形になるように複数の光沢平面を有しているので、回転部材が回転すると、ダイヤモンドカット部も回転し、光沢平面の反射が多様に変化する。ここでは、光沢平面の反射の多様な変化は、釣人にとって容易に視認できるので、回転部材の回転を容易に把握することができる。
【００１４】
発明９に係る釣り用部品は、発明１から８のいずれかの釣り用部品において、部品本体は釣り用リールに使用される。この場合、たとえば釣り用リールのスプール、ハンドルのフランジ部、ハンドルアーム固定用のナット、ドラグつまみ、防水キャップ等にダイヤモンドカット部を設けることにより、外観の意匠性を向上させるとともに、釣竿の回転を容易に把握することができる。
【００１５】
発明１０に係る釣り用部品は、発明１から８のいずれかの釣り用部品において、部品本体は釣竿に使用される。この場合、たとえば釣竿の尻栓等にダイヤモンドカット部を設けることにより、釣竿の回転を容易に把握することができる。
【００１６】
【発明の実施の形態】
本発明の一実施形態を採用した両軸受リールは、図１に示すように、ベイトキャスト用のロープロフィール型のリールである。この両軸受リールは、釣竿ＲＤに装着される合成樹脂製のリール本体１と、リール本体１の側方に配置されたスプール回転用のハンドル組立体２と、リール本体１の内部に回転自在かつ着脱自在に装着された糸巻き用のスプール４とを備えている。ハンドル組立体２のリール本体１側には、ドラグ調整用のスタードラグ３が設けられている。
【００１７】
リール本体１は、図１及び図２に示すように、フレーム５と、フレーム５の両側方に装着された側カバー６と、フレーム５の前方を覆う前カバー７と、上部を覆うサムレスト８と、釣竿ＲＤに装着される竿取付脚９とを有している。ハンドル組立体２側の側カバー６には、スプール４をキャスティングコントロールするための操作部材であるキャスコンつまみ１９（回転部材の一例）が外方に突出して設けられている。
【００１８】
キャスコンつまみ１９は、図２から図４に拡大して示すように、有底筒状のキャップ部材であり、合成樹脂製の部品本体１０と、部品本体１０の表層側に設けられ断面が正２４角形になるように形成され２４面の光沢平面１１ａ、１１ｂ〜１１ｘを有する金属製のダイヤモンドカット部１１とを有している。
部品本体１０は、図３及び図４に示すように、内周断面が円形に形成され、外周断面が正２４角形になるように形成されている。部品本体１０は、たとえば合成樹脂を成型加工して形成されたものである。
【００１９】
ダイヤモンドカット部１１は、図２から図４に示すように、部品本体１０の外周面に形成された金属薄板製部材である。ダイヤモンドカット部１１は、部品本体１０にめっき処理により形成されたものであり、部品本体１０と同様に表面が正２４角形になるように形成されている。このため、光沢平面１１ａ、１１ｂ〜１１ｘは、部品本体１０の周方向に沿って２４面それぞれが等間隔に並んで配置されている。光沢平面１１ａ、１１ｂ〜１１ｘは、ダイヤモンドカット加工及び金属の光輝性により、キャスコンつまみ１９を回転させると多様に反射する。
【００２０】
このようなキャスコンつまみ１９は、ダイヤモンドカット部１１の断面が正２４角形になるように複数の光沢平面１１ａ、１１ｂ〜１１ｘを有しているので、光沢平面１１ａ、１１ｂ〜１１ｘが多様に反射することにより、外観の意匠性を向上させることができる。また、キャスコンつまみ１９を回転させると、ダイヤモンドカット部１１も回転し、光沢平面１１ａ、１１ｂ〜１１ｘの反射が多様に変化する。ここでは、光沢平面１１ａ、１１ｂ〜１１ｘの反射の多様な変化は、釣人にとって容易に視認できるので、キャスコンつまみ１９の回転を容易に把握することができる。
【００２１】
〔他の実施形態〕
（ａ）　本発明に係る釣り用部品は、両軸受リールのキャスコンつまみ１９を例にあげて説明したが、これに限定されるものではなく、他の全ての釣り用部品に本発明を適用できる。
図５に示すように、スピニングリールにも本発明を適用できる。本発明の他の実施形態を採用したスピニングリールは、ハンドル１０１を回転自在に支持するリール本体１０２と、ロータ１０３と、スプール１０４とを備えている。ロータ１０３は、リール本体１０２の前部に回転自在に支持されている。スプール１０４は、釣り糸を外周面に巻き取るものであり、ロータ１０３の前部に前後移動自在に配置されている。
【００２２】
ハンドル１０１は、Ｔ字状の把手部１０１ａと、先端に把手部１０１ａが回転自在に装着されたＬ字状のハンドルアーム１０１ｂとを有している。ハンドルアーム１０１ｂは、ねじ込み式のハンドルであり、ハンドルアーム１０１ｂのフランジ部１０１ｃは、図示しないハンドル軸に装着されている。フランジ部１０１ｃには、前記実施形態と同様のダイヤモンドカット部が形成されている。
【００２３】
スプール１０４は、外周に釣り糸が巻かれる糸巻胴部１０４ａと、糸巻胴部１０４ａの後部に一体で形成されたスカート部１０４ｂとを有している。スプール１０４の先端部には図示しないドラグ機構を操作するドラグつまみ１６０が装着されている。ドラグつまみ１６０は、釣人が指で操作するため突出した操作部１６０ａと、操作部１６０ａの基端部に形成された円板部１６０ｂとを有している。スカート部１０４ｂ及びドラグつまみ１６０の円板部１６０ｂには前記実施形態と同様のダイヤモンドカット部が形成されている。
【００２４】
ここでは、前記実施形態と同様のダイヤモンドカット部が形成されているので、外観の意匠性を向上でき、ハンドル１０１、スプール１０４及びドラグつまみ１６０の回転を容易に把握できる。
また、図６に示すように、両軸受リールのハンドル組立体にも本発明を適用できる。本発明の他の実施形態を採用したハンドル組立体２０１は、図示しないハンドル軸に回転不能に装着されたハンドルアーム２０２と、ハンドルアーム２０２の先端に回転自在に配置されたハンドル把手２０３とを有している。ハンドルアーム２０２は、図示しないハンドル軸にナット部材２０４により固定されている。ナット部材２０４には前記実施形態と同様のダイヤモンドカット部が形成されている。ここでは、前記実施形態と同様のダイヤモンドカット部が形成されているので、外観の意匠性を向上でき、ハンドル組立体２０１の回転を容易に把握できる。
【００２５】
さらに、図７に示すように、釣竿の尻栓にも本発明を適用できる。本発明の他の実施形態を採用した釣竿ＲＤは、後端部に設けられ釣人が把持するためのグリップ３０１と、グリップ３０１の後端部に装着される有底筒状の尻栓３０２とを有している。尻栓３０２には前記実施形態と同様のダイヤモンドカット部が形成されている。ここでは、前記実施形態と同様のダイヤモンドカット部が形成されているので、外観の意匠性を向上でき、釣竿ＲＤの回転を容易に把握できる。
【００２６】
（ｂ）　前記実施形態では、ダイヤモンドカット部１１は周方向に沿って光沢平面１１ａ、１１ｂ〜１１ｘを形成したが、これに限定されるものではなく、図８に示すように、たとえばミラーボールのように径方向に沿って光沢平面を形成してもよい。また、ダイヤモンドカット部１１の断面は正２４面に限定されず、５８面、７２面、１４４面等の任意の多角形であってもよい。
【００２７】
（ｃ）　前記実施形態では、部品本体１０は有底筒状部材であったが、略円筒体、略円柱体、略円垂体及び略球体であってもよい。また、部品本体１０はキャスコンつまみ１９等の回転部材に限定されることはない。
（ｄ）　前記実施形態では、部品本体１０が合成樹脂製、かつダイヤモンドカット部１１が金属製であったが、部品本体１０及びダイヤモンドカット部１１を金属で一体成型してもよい。また、ダイヤモンドカット部１１はめっき処理等による金属に限定されず、たとえば金属薄膜により形成してもよい。
【００２８】
【発明の効果】
本発明によれば、釣り用部品において、部品本体の表層側には、断面が略多角形になるように形成され複数の光沢平面を有するダイヤモンドカット部が形成されているので、光沢平面が多様に反射することにより、外観の意匠性を向上できる。また、回転部材を有する釣り用部品では、回転部材の回転を容易に把握できる。
【図面の簡単な説明】
【図１】本発明の一実施形態を採用した両軸受リールの平面図。
【図２】キャスコンつまみの拡大側面図。
【図３】前記キャスコンつまみの正面断面図。
【図４】前記キャスコンつまみの正面拡大断面図。
【図５】本発明の他の実施形態を採用したスピニングリールの側面図。
【図６】本発明の他の実施形態を採用した両軸受リールの側面図。
【図７】本発明の他の実施形態を採用した釣竿の側面図。
【図８】他の実施形態の図２に相当する図。
【符号の説明】
１０　部品本体
１１　ダイヤモンドカット部
１１ａ、１１ｂ〜１１ｘ　光沢平面
１９　キャスコンつまみ
１０１　ハンドル
１０１ｃ　フランジ部
１０４　スプール
１０４ｂ　スカート部
１６０　ドラグつまみ
２０１　ハンドル組立体
２０４　ナット部材
３０２　尻栓
ＲＤ　釣竿
【図１】
2004097109.tif 000003
【図２】
2004097109.tif 000004
【図３】
2004097109.tif 000005
【図４】
2004097109.tif 000006
【図５】
2004097109.tif 000007
【図６】
2004097109.tif 000008
【図７】
2004097109.tif 000009
【図８】
2004097109.tif 000010